(57)【特許請求の範囲】
【請求項１】
展示物が置かれる展示面を有する板状の展示部と、
前記展示部を支持する支持脚部と、
を備える展示台であって、
前記支持脚部は、
板状に形成される第１脚部と、
前記第１脚部と同じ高さを有する板状の脚部であって、該第１脚部と組み合わされて脚部対を形成しその組み合わされた状態において該第１脚部の上方端縁とともに所定の支持面を形成する第２脚部と、
を有し、
前記第１脚部と前記第２脚部のそれぞれは、その高さ方向の一方の端縁に沿って凸部が形成されるとともに該高さ方向の他方の端縁に沿って溝部が形成されており、
一の前記脚部対の前記第１脚部と前記第２脚部が有する前記溝部又は前記凸部が、他の前記脚部対における前記第１脚部と前記第２脚部が有する前記凸部又は前記溝部と嵌合することで、該一の脚部対と該他の脚部対が積み重ね可能となるように前記支持脚部は形成され、
前記第１脚部は、該第１脚部が有する前記凸部が形成された前記一方の端縁から、その高さ方向に延在する第１脚部側切り欠き部が設けられた第１脚部側主板材と、前記第１脚部側主板材と同じ高さを有する、２枚の第１脚部側第１副板材と、前記第１脚部側主板材と同じ高さを有する、２枚の第１脚部側第２副板材と、を有し、
前記第２脚部は、該第２脚部が有する前記溝部が形成された前記他方の端縁から、その高さ方向に延在する切り欠き部であって、前記第１脚部との組み合わせによる前記脚部対を形成するための第２脚部側切り欠き部が設けられ、前記第１脚部側主板材と同じ高さを有する第２脚部側主板材と、前記第２脚部側主板材と同じ高さを有する、２枚の第２脚部側第１副板材と、前記第２脚部側主板材と同じ高さを有する、２枚の第２脚部側第２副板材と、を有し、
前記第１脚部側主板材の一方の面において、一の前記第１脚部側第１副板材と一の前記第１脚部側第２副板材が、該第１脚部側主板材の高さ方向であって前記第１脚部側切り欠き部の開口部が位置しない端縁の方向にともに所定量ずらした位置に配置され、且つ、該第１脚部側主板材の長さ方向において、該一の第１脚部側第１副板材と該一の第１脚部側第２副板材が、該第１脚部側切り欠き部を覆わないように且つ両副板材の間隔が、前記第
２脚部側主板材の厚さ及び前記第２脚部側第２副板材の厚さの合計となるように配置される所定の第１脚部側配置状態が形成され、
前記第１脚部側主板材の他方の面においても前記所定の第１脚部側配置状態が形成されるように、前記第１脚部側主板材を挟んで、前記一方の面における前記第１脚部側第１副板材の反対側に他の前記第１脚部側第２副板材が配置され、且つ、前記一方の面における前記第１脚部側第２副板材の反対側に他の前記第１脚部側第１副板材が配置され、
前記第２脚部側主板材の一方の面において、一の前記第２脚部側第１副板材と一の前記第２脚部側第２副板材が、該第２脚部側主板材の高さ方向であって前記第２脚部側切り欠き部の開口部が位置する端縁の方向にともに前記所定量ずらした位置に配置され、且つ、該第２脚部側主板材の長さ方向において、該一の第２脚部側第１副板材と該一の第２脚部側第２副板材が、該第２脚部側切り欠き部を覆わないように且つ両副板材の間隔が、前記第１脚部側主板材の厚さ及び前記第１脚部側第２副板材の厚さの合計となるように配置される所定の第２脚部側配置状態が形成され、
前記第２脚部側主板材の他方の面においても前記所定の第２脚部側配置状態が形成されるように、前記第２脚部側主板材を挟んで、前記一方の面における前記第２脚部側第１副板材の反対側に他の前記第２脚部側第２副板材が配置され、且つ、前記一方の面における前記第２脚部側第２副板材の反対側に他の前記第２脚部側第１副板材が配置され、
前記脚部対が形成された状態において、
前記第１脚部側第１副板材と前記第１脚部側第２副板材との間に、前記第２脚部側主板材と前記第２脚部側第２副板材とがそれらの厚さ方向で嵌め込まれ、且つ、前記第２脚部側第１副板材の長さ方向の端面が該第１脚部側第２副板材に対向するように配置され、
前記第２脚部側第１副板材と前記第２脚部側第２副板材との間に、前記第１脚部側主板材と前記第１脚部側第２副板材とがそれらの厚さ方向で嵌め込まれ、且つ、前記第１脚部側第１副板材の長さ方向の端面が該第２脚部側第２副板材に対向するように配置される、
展示台。
【請求項２】
前記展示部は、前記支持脚部において最上方に位置する前記脚部対の前記第１脚部と前記第２脚部が有する前記溝部又は前記凸部と嵌合可能な嵌合部を、前記展示面とは反対側の面に有する、
請求項１に記載の展示台。
【請求項３】
前記脚部対が形成された状態において、
前記第２脚部側第１副板材の長さ方向の端面が前記第１脚部側第２副板材に接触するように配置され、
前記第１脚部側第１副板材の長さ方向の端面が前記第２脚部側第２副板材に接触するように配置される、
請求項１又は２に記載の展示台。
【請求項４】
前記第１脚部側第１副板材は、第１所定長さを有し、
前記第１脚部側第２副板材は、前記第１所定長さより長い第２所定長さを有し、
前記第２脚部側第１副板材は、前記第１所定長さを有し、
前記第２脚部側第２副板材は、前記第２所定長さを有し、
前記第１脚部側主板材の長さ方向の端面のそれぞれは、前記第１脚部側第１副板材の長さ方向の端面であって対向する前記第１脚部側第２副板材とは反対側の端面、及び該第１脚部側第２副板材の長さ方向の端面であって対向する該第１脚部側第１副板材とは反対側の端面と面一となるように配置され、
前記第２脚部側主板材の長さ方向の端面のそれぞれは、前記第２脚部側第１副板材の長さ方向の端面であって対向する前記第２脚部側第２副板材とは反対側の端面、及び該第２脚部側第２副板材の長さ方向の端面であって対向する該第２脚部側第１副板材とは反対側の端面と面一となるように配置される、
請求項３に記載の展示台。
【請求項５】
前記第１脚部側主板材の厚さは、前記第１脚部側第１副板材の厚さ、及び前記第１脚部側第２副板材の厚さより大きく、
前記第２脚部側主板材の厚さは、前記第２脚部側第１副板材の厚さ、及び前記第２脚部側第２副板材の厚さより大きい、
請求項１から請求項４の何れか１項に記載の展示台。
【請求項６】
前記展示部の展示面上に配置される透明な展示物カバーを備えており、該展示物カバーは組み立て式であることを特徴とする、
請求項１から５の何れか１項に記載の展示台。
【請求項７】
前記展示物カバーは、
透明な板材により形成され、展示物の周囲の少なくとも一部を囲うように組み立てられる複数の側面部材と、
一以上の透明な支柱部材を備え、
前記側面部材のそれぞれは、
展示物が載置される側の面の幅方向の端部それぞれに、中空部が該側面部材の高さ方向に延在する一以上の筒状体を有しており、
一方の端の前記筒状体と他方の端の前記筒状体は、お互いに高さ方向において重なる部分が無いように設けられており、
組み立て状態において、一の側面部材の前記筒状体の中空部と当該側面部材に隣接する他の側面部材の前記筒状体の中空部とが、同一の軸上に配置され、該同一の軸上に配置された複数の前記筒状体の中空部に、前記支柱部材が挿通されることにより、該一の側面部材と該他の側面部材同士が結合されることを特徴とする、
請求項６に記載の展示台。
【請求項８】
前記複数の側面部材は、全て同じ形であることを特徴とする、
請求項７に記載の展示台。
【請求項９】
前記筒状体は、軸方向に垂直な断面の外周が正方形であることを特徴とする
請求項７又は８に記載の展示台。
【請求項１０】
前記組み立て式展示物カバーは、
展示物の上部を覆う板状の天板部材を備え、
該天板部材は、展示物が載置される側の面の各辺に沿って、幅が前記側面部材の厚みと略同一の幅である、所定の高さの段部有しており、
前記組み立て状態において、
最も上部に位置する前記筒状体の上端が、前記側面部材の上端から、前記天板部材の段部の所定の高さだけ低い位置に配置され、
前記天板部材は、前記段部が前記側面部材の上端面で支持されるように、前記側面部材上に載置されることを特徴とする、
請求項７から９の何れか１項に記載の展示台。
【請求項１１】
前記天板部材は、
両面を貫通する一以上の孔を有しており、
前記組み立て状態において、該孔は前記筒状体に挿通されたそれぞれの前記支柱部材の上部に配置され、
該孔を通じて、結合部材により、前記各支柱部材と結合されることを特徴とする
請求項１０に記載の展示台。
【発明の詳細な説明】
【技術分野】
【０００１】
本発明は、展示物を展示するために載せる展示台に関する。
【背景技術】
【０００２】
店舗で販売される商品等を展示するための展示台としては、様々な態様の展示台が開示されてきている。例えば、特許文献１に記載の展示台は、２枚の板状体を互いの切り欠き部を介して組み合わせることで脚部を形成し、その上に展示用の天板が配置される構成を有している。それとともに各板状体には、側方に延在する切り欠き部も設けられ、そこには別の展示台の天板が遊嵌されて、展示面の高さが異なる展示物の展示が可能とされる。
【０００３】
また、特許文献２には、展示台の収納や運搬を容易にするために折り畳み可能な展示台が開示されている。具体的には、台を構成する天板に対し、４つの側板を係合凹部又は係合凸部により嵌合させることで、展示台の組み立てを可能とするものである。また、展示台ではなく、家具に関する先行技術を示す特許文献３には、天板の下に設けられる脚部の積層数を調整することで、天板下の収納スペース容量を調整する技術が開示されている。
【先行技術文献】
【特許文献】
【０００４】
【特許文献１】特開２０１４−９０８４３号公報
【特許文献２】実用新案登録第３１６７１２９号公報
【特許文献３】登録実用新案第３０１１７８４号公報
【発明の概要】
【発明が解決しようとする課題】
【０００５】
従来、博物館や美術館等での資料展示に使用される展示台は展示内容ごとに製作されるため、展示台を製作するコストがかかってしまう。また、展示内容に合わせて個別的に展示台が作成されているため、他の展示内容への適用が難しかったり、その保管に要するスペースも比較的大きくなったりし、展示が終了するとその展示台は廃棄されることが多かった。そのため、その展示終了後には多くの廃棄物を生み出すことになり、環境的な面からも改善が求められる状況が続いている。
【０００６】
本発明は、上記した問題点に鑑みてなされたものであり、製作コストを低減し、また使用後の廃棄量を低減するために、繰り返しの使用を可能とする展示台を提供することを目的とする。
【課題を解決するための手段】
【０００７】
本発明において、上記課題を解決するために、展示台の支持脚部を構成する脚部対を２つの板状の部材を組み合わせることで形成するとともに、その脚部対を積み重ねることで、展示台における展示部の高さを調整可能とする、組み立て式の構成を採用した。これにより、展示内容に合わせた展示台を形成することができ、以て展示台の汎用性を高めることで、繰り返しの使用を可能とし廃棄量を抑制できるとともに、保管時には板状の各部材に分解することができ、保管に要するコストを低減することができる。
【０００８】
詳細には、本発明は、展示物が置かれる展示面を有する板状の展示部と、前記展示部を支持する支持脚部と、を備える展示台である。そして、前記支持脚部は、板状に形成される第１脚部と、前記第１脚部と同じ高さを有する板状の脚部であって、該第１脚部と組み合わされて脚部対を形成しその組み合わされた状態において該第１脚部の上方端縁ととも
に所定の支持面を形成する第２脚部と、を有する。更に、前記第１脚部と前記第２脚部のそれぞれは、その高さ方向の一方の端縁に沿って溝部が形成されるとともに該高さ方向の他方の端縁に沿って凸部が形成され、一の前記脚部対の前記第１脚部と前記第２脚部が有する前記溝部又は前記凸部が、他の前記脚部対における前記第１脚部対と前記第２脚部が有する前記凸部又は前記溝部と嵌合することで、該一の脚部対と該他の脚部対が積み重ね可能となるように前記支持脚部は形成される。
【０００９】
本発明に係る展示台は、展示物が置かれる板状の展示部を支持脚部が支持する構成が採られる。ここで、支持脚部は、第１脚部と第２脚部が組み合わされて形成される脚部対が積み重ねられることで形成される。この第１脚部と第２脚部は、ともに板状の部材であり、両者が組み合わされることで、第１脚部の上方端縁と第２脚部の上方端縁で所定の支持面が形成される。この所定の支持面によって、脚部対同士の積み重ね、及び、展示部の支持が行われる。
【００１０】
そして、第１脚部と第２脚部のそれぞれにおいては、その高さ方向の一方の端縁に沿って溝部が形成されるとともに、他方の端縁に沿って凸部が形成される。この溝部と凸部は互いに嵌合可能とする相関形状を有している。その結果、第１脚部と第２脚部によって脚部対が形成されると、その所定の支持面が両脚部の溝部又は凸部によって形成されることになり、一の脚部対の所定の支持面がそこに含まれる各脚部の凸部で形成される場合には、他の脚部対に含まれる各脚部の溝部が嵌合することで、当該他の脚部対が当該一の脚部対によって支持、積み重ねられることになる。逆に、一の脚部対の所定の支持面がそこに含まれる各脚部の溝部で形成される場合には、他の脚部対に含まれる各脚部の凸部が嵌合することで、当該他の脚部対が当該一の脚部対によって支持、積み重ねられることになる。
【００１１】
この脚部対の積み重ねにおいては脚部対間で凸部と溝部の嵌合状態が形成されることになるため、その積み重ね状態は極めて安定したものとなる。そして、脚部対が積み重ねられることで支持脚部が形成されることになり、このことは脚部対の積み重ね数を調整すれば支持脚部の高さを適宜調整できることを意味する。このように本願発明に係る展示台は、その支持脚部が、安定的な積み重ねを可能とする脚部対によって、高さ調整が可能となるように形成されるため、展示内容に好適に合わせた展示を実現でき、展示台としての汎用性は極めて高い。また、支持脚部に含まれる各脚部対を構成する第１脚部、第２脚部、及び展示部は、板状に形成される部材であるため、展示台の保管時には、展示台を各部材にまで分解すれば、保管に要するスペースを小さくでき、保管コストの抑制を図ることができる。
【００１２】
ここで、上記の展示台において、前記展示部は、前記支持脚部において最上方に位置する前記脚部対の前記第１脚部と前記第２脚部が有する前記溝部又は前記凸部と嵌合可能な嵌合部を、前記展示面とは反対側の面に有するように構成されてもよい。展示部が展示面とは反対側の面に嵌合部を有することで、最上方に位置する支持脚対の所定の支持面による展示部の支持が、嵌合部と脚部対側の溝部又は凸部との嵌合を介して実現されるため、安定した展示部の支持が形成されることになる。
【００１３】
また、上述までの展示台において、前記第１脚部は、該第１脚部が有する前記溝部が形成された前記一方の端縁から、その高さ方向に延在する第１脚部側切り欠き部を有し、また、前記第２脚部は、該第２脚部が有する前記凸部が形成された前記他方の端縁から、その高さ方向に延在する切り欠き部であって、前記第１脚部との組み合わせによる前記脚部対を形成するための第２脚部側切り欠き部を有するように、各脚部が形成されてもよい。このように第１脚部側切り欠き部と第２脚部側切り欠き部が、それぞれ第１脚部と第２脚部に形成されることで、第１脚部と第２脚部を両切り欠き部を介して組み合わせた時に、
第１脚部の凸部と第２脚部の凸部が所定の支持面を形成し、又は、第１脚部の溝部と第２脚部の溝部が所定の支持面を形成することになり、上述した脚部対の積み重ね、及び、脚部対による展示部の支持が実現されることになる。
【００１４】
ここで、上記の展示台において、前記第１脚部は、前記第１脚部側切り欠き部が設けられた第１脚部側主板材と、前記第１脚部側主板材と同じ高さを有する、２枚の第１脚部側第１副板材と、前記第１脚部側主板材と同じ高さを有する、２枚の第１脚部側第２副板材と、を有し、前記第２脚部は、前記第２脚部側切り欠き部が設けられ、前記第１脚部側主板材と同じ高さを有する第２脚部側主板材と、前記第２脚部側主板材と同じ高さを有する、２枚の第２脚部側第１副板材と、前記第２脚部側主板材と同じ高さを有する、２枚の第２脚部側第２副板材と、を有してもよい。
【００１５】
そして、前記第１脚部側主板材の一方の面において、一の前記第１脚部側第１副板材と一の前記第１脚部側第２副板材が、該第１脚部側主板材の高さ方向であって前記第１脚部側切り欠き部の開口部が位置しない端縁の方向にともに所定量ずらした位置に配置され、且つ、該第１脚部側主板材の長さ方向において、該一の第１脚部側第１副板材と該一の第１脚部側第２副板材が、該第１脚部側切り欠き部を覆わないように且つ両副板材の間隔が、前記第２脚部側主板材の厚さ及び前記第２脚部側第２副板材の厚さの合計となるように配置される所定の第１脚部側配置状態が形成され、前記第１脚部側主板材の他方の面においても前記所定の第１脚部側配置状態が形成されるように、前記第１脚部側主板材を挟んで、前記一方の面における前記第１脚部側第１副板材の反対側に他の前記第１脚部側第２副板材が配置され、且つ、前記一方の面における前記第１脚部側第２副板材の反対側に他の前記第１脚部側第１副板材が配置される。更に、前記第２脚部側主板材の一方の面において、一の前記第２脚部側第１副板材と一の前記第２脚部側第２副板材が、該第２脚部側主板材の高さ方向であって前記第２脚部側切り欠き部の開口部が位置する端縁の方向にともに前記所定量ずらした位置に配置され、且つ、該第２脚部側主板材の長さ方向において、該一の第２脚部側第１副板材と該一の第２脚部側第２副板材が、該第２脚部側切り欠き部を覆わないように且つ両副板材の間隔が、前記第１脚部側主板材の厚さ及び前記第１脚部側第２副板材の厚さの合計となるように配置される所定の第２脚部側配置状態が形成され、前記第２脚部側主板材の他方の面においても前記所定の第２脚部側配置状態が形成されるように、前記第２脚部側主板材を挟んで、前記一方の面における前記第２脚部側第１副板材の反対側に他の前記第２脚部側第２副板材が配置され、且つ、前記一方の面における前記第２脚部側第２副板材の反対側に他の前記第２脚部側第１副板材が配置される。
【００１６】
また、前記脚部対が形成された状態においては、前記第１脚部側第１副板材と前記第１脚部側第２副板材との間に、前記第２脚部側主板材と前記第２脚部側第２副板材とがそれらの厚さ方向で嵌め込まれ、且つ、前記第２脚部側第１副板材の長さ方向の端面が該第１脚部側第１副板材又は該第１脚部側第２副板材に対向するように配置され、前記第２脚部側第１副板材と前記第２脚部側第２副板材との間に、前記第１脚部側主板材と前記第１脚部側第２副板材とがそれらの厚さ方向で嵌め込まれ、且つ、前記第１脚部側第１副板材の長さ方向の端面が該第２脚部側第１副板材又は該第２脚部側第２副板材に対向するように配置される。
【００１７】
このような構成を採用した場合、第１脚部と第２脚部は、対応するそれぞれの主板材や副板材が上記の通り配置されることで、その脚部全体も板状に形成されることになる。第１脚部においては、第１脚部側主板材に対して、第１脚部側第１副板材と第１脚部側第２副板材が、高さ方向に所定量ずれた位置に配置される。この結果、当該所定のずれに応じて、一方の端縁では、第１脚部側主板材の飛び出しにより上記凸部が形成され、また、他方の端縁では、第１脚部側第１副板材と第１脚部側第２副板材の飛び出しにより相対的に第１脚部側主板材が引っ込んだ状態となり、上記溝部が形成される。この各副板材の所定
量のずれに関しては、切り欠き部の開口位置に対するずれの方向を除き、第２脚部にも同様に適用される。
【００１８】
また、第１脚部における長さ方向においては、第１脚部の各面において、第１脚部側切り欠き部を覆わないように、且つ、第１脚部側第１副板材と第１脚部側第２副板材の間隔が、第２脚部側主板材の厚さ及び第２脚部側第２副板材の厚さの合計となるように、両副板材の相対的な位置関係が決定される。このような副板材間の間隔の形成により、第１脚部と第２脚部を組み合わせて脚部対を形成したときに、上記の通り、第１脚部側第１副板材と第１脚部側第２副板材との間には、第２脚部側の第２脚部側主板材と第２脚部側第２副板材が嵌め込まれ、第２脚部側第１副板材は、その長さ方向の端面が、第１脚部側の何れかの副板材に対向する位置となる。同様に、第２脚部側第１副板材と第２脚部側第２副板材との間には、第１脚部側の第２脚部側主板材と第１脚部側第２副板材が嵌め込まれ、第１脚部側第１副板材は、その長さ方向の端面が、第２脚部側の何れかの副板材に対向する位置となる。
【００１９】
このような第１脚部と第２脚部との組み合わせでは、第１脚部に対して、第２脚部側の副板材の長さ方向の端面の位置をずらして対向させた状態、すなわち段差状の対向状態が形成される。同様に、第２脚部に対しても、第１脚部側の副板材の長さ方向の端面が段差状に対向した状態が形成される。この結果、各切り欠き部を介した第１脚部と第２脚部の組合せにおける、板状の両脚部の回転がたつきを抑制し、安定した脚部対の積み重ね、及び展示部の支持が実現可能となる。
【００２０】
更に、上記展示台で、前記脚部対が形成された状態において、前記第２脚部側第１副板材の長さ方向の端面が前記第１脚部側第１副板材又は前記第１脚部側第２副板材に接触するように配置され、前記第１脚部側第１副板材の長さ方向の端面が前記第２脚部側第１副板材又は前記第２脚部側第２副板材に対向するように配置されてもよい。このように脚部対の形成時に、第２脚部側第１副板材の長さ方向の端面と第１脚部側第１副板材の長さ方向の端面が、対向する副板材と接触することで、板状の両脚部の回転がたつきをより確実に抑制することができる。
【００２１】
また、より具体的な第１脚部と第２脚部の構成については、一例として、前記第１脚部側第１副板材は、第１所定長さを有し、前記第１脚部側第２副板材は、前記第１所定長さより長い第２所定長さを有し、前記第２脚部側第１副板材は、前記第１所定長さを有し、前記第２脚部側第２副板材は、前記第２所定長さを有してもよい。そして、前記第１脚部側主板材の長さ方向の端面のそれぞれは、前記第１脚部側第１副板材の長さ方向の端面であって対向する前記第１脚部側第２副板材とは反対側の端面、及び該第１脚部側第２副板材の長さ方向の端面であって対向する該第１脚部側第１副板材とは反対側の端面と面一となるように配置され、前記第２脚部側主板材の長さ方向の端面のそれぞれは、前記第２脚部側第１副板材の長さ方向の端面であって対向する前記第２脚部側第２副板材とは反対側の端面、及び該第２脚部側第２副板材の長さ方向の端面であって対向する該第２脚部側第１副板材とは反対側の端面と面一となるように配置される。
【００２２】
また、上述までの展示台において、前記第１脚部側主板材の厚さは、前記第１脚部側第１副板材の厚さ、及び前記第１脚部側第２副板材の厚さより大きく、前記第２脚部側主板材の厚さは、前記第２脚部側第１副板材の厚さ、及び前記第２脚部側第２副板材の厚さより大きく設定されてもよい。このように各主板材を各副板材より厚くすることで、第１脚部及び第２脚部の強度を高めることができる。なお、各主板材の厚さを大きくするためには、主板材が一枚の板材で形成される場合はその板材の厚さそのものを大きくし、また、主板材を複数の板材を貼り合わせて形成することで主板材自体の厚さを大きくしてもよい。
【００２３】
更に、上述までの展示台は前記展示部の展示面上に配置される透明な組み立て式展示物カバーを備えていてもよい。このように、展示状態にある展示物を保護するカバーについても組み立て式とすることによって、保管・移送に要するコストをより低減することが可能となる。
【００２４】
また、前記展示物カバーの一例としては、透明な板材により形成され、展示物の周囲の少なくとも一部を囲うように組み立てられる複数の側面部材と、一以上の透明な支柱部材を備え、前記側面部材のそれぞれは、展示物が載置される側の面の幅方向の端部それぞれに、中空部が高さ方向に延在する一以上の筒状体を有しており、一方の端の前記筒状体と他方の端の前記筒状体は、お互いに高さ方向において重なる部分が無いように設けられており、組み立て状態において、一の側面部材の前記筒状体の中空部と当該側面部材に隣接する他の側面部材の前記筒状体の中空部とが、同一の軸上に配置され、該同一の軸上に配置された複数の前記筒状体の中空部に、前記支柱部材が挿通されることにより、前記側面部材同士が結合されるように構成されていてもよい。
【００２５】
ここで、前記展示台カバーは、展示物の周囲を全て前記側面部材で囲うように組み立てられても良いし、展示施設の壁面等を利用して、側面部材が平面視でコの字型や、くの字型になるように組み立てられてもよい。また、側面部材により展示物の全周囲を囲う場合であっても、その囲い方は自由である。例えば、側面部材を８つ用いて平面視で八角形となるように組み立てられても良いし、幅方向に長さの異なる２組の側面部材を用いて平面視で長方形となるように組み立てられても良い。
【００２６】
いずれにしろ、側面部材に形成された筒状体に支柱部材を挿通することによって隣接する側面部材同士を連結する構成とすることで、ネジ等の係止部材を極力少なくして、カバー組み立て時の作業効率を向上させることができる。さらに、同じ形の側面部材が二以上用いられていれば、カバーを解体した後に、当該同じ形の二つの側面部材を、前記筒状体を備える面同士が向き合うように重ね、該状態において両端の前記筒状体にそれぞれ前記支柱部材を挿通することで、平らな形状のカバー収納時ユニットを形成することができ、該ユニットを用いて保管及び移送を行うことで、効率的な展示台の運用が可能となる。
【００２７】
ここで、前記複数の側面部材は、全て同じ形をしていてもよい。側面部材の形を一つに統一することで、カバーを構成する部材の種類を少なくすることができ、製造コスト及び管理に要するコストを削減することができる。また、側面部材の形が全て同じであることから、前記収納時ユニットを確実に形成することができ、その大きさも全て同じとなるため、保管及び移送をより効率的に行うことが可能となる。なお、このことは、カバーを構成する複数の側面部材に異なる形状を有する側面部材が含まれることを排除するものではない。  
【００２８】
更に、上記展示台において、前記筒状体は、軸方向に垂直な断面の外周が正方形であってもよい。このように、筒状体の断面が正方形であることによって、組み立て時においては一の側面部材の筒状体と隣接する他の側面部材が面同士で接触し、カバーの回転がたつきを抑制することができる。また、前記の収納時ユニットを形成する際には、該ユニットを前記側面部材のいずれかの面を接地させて収納すると、上側に位置する前記側面部材の重量を、前記筒状体で支持することとなるが、断面が前記のような形状の筒状体であると、他の形状に比べてより多くの面で荷重を支えることができる。ただし、このことは、前記筒状体の断面の形状が他の形状、例えば、三角形や円形とすることを妨げるものではない。
【００２９】
また、上述までの組み立て式展示物カバーを備える展示台において、前記組み立て式展
示物カバーは、展示物の上部を覆う板状の天板部材を備え、該天板部材は、展示物が載置される側の面の各辺に沿って、幅が前記側面部材の厚みと略同一の幅である、所定の厚さの段部を有しており、組み立て状態において、最も上部に位置する前記筒状体の上端が、前記側面部材の上端から、前記天板部材の段部の所定の厚さだけ低い位置に配置され、前記天板部材は、前記段部が前記側面部材の上端面で支持されるように、前記側面部材上に載置されるように構成されていてもよい。
【００３０】
このように天板部材と側面部材により展示物を覆うことで、埃や水滴、観覧者等による展示物への接触などから展示物を保護することができ、一定程度の機密性の確保も可能となることから、湿度の変化等からも展示物を保護することが可能となる。
【００３１】
また、天板部材を上記のような構造とすることで、天板部材の重量を側面部材の全ての上端面で均一に支えることができ、天板部材が段部によって側面部材を内側から支持することになるため、側面部材に外側からの力が加わっても、側面部材が内側へ撓むことを抑止することができるので、強度に優れた展示物カバーを構成することが可能となる。更に、このような構造はカバーの外側に凹凸が生ずることが無く、美感にも優れたカバーとなる。
【００３２】
更に、前記天板部材は、両面を貫通する一以上の孔を有しており、前記組み立て状態において、該孔は前記筒状体に挿通されたそれぞれの前記支柱部材の上部に配置され、該孔を通じて、結合部材により、前記各支柱部材と結合されるように構成されていてもよい。ここで、例えば、前記結合部材を皿ネジとし、前記天板部材に設けられる孔の形状を、該皿ネジを締めた際に天板部材の外側の面と面一となるようにすれば、ネジ頭の出っ張りが生じることもなく、美感を損なうことがない。
【発明の効果】
【００３３】
製作コストを低減し、また使用後の廃棄量を低減するために、繰り返しの使用を可能とする展示台を提供することができる。
【図面の簡単な説明】
【００３４】
【図１】本発明に係る展示台の全体図である。
【図２】図１に示す展示台に含まれる天板の構成図である。
【図３】図１に示す展示台に含まれる展示板の構成図である。
【図４】図１に示す展示台に含まれる支持脚部の第１脚部の構成図である。
【図５】図１に示す展示台に含まれる支持脚部の第２脚部の構成図である。
【図６】第１脚部と第２脚部とを組み合わせた状態を示す図である。
【図７】本発明に係る展示台の組み立ての流れを示す図である。
【図８】本発明に係る展示台が採り得る形態を示す図である。
【図９】本発明に係る展示台の第２の実施例を示す第１の図である。
【図１０】本発明に係る展示台の第２の実施例を示す第２の図である。
【図１１】図９に示す展示台の組み立ての流れを示す図である。
【図１２】図９に示す展示台における、アクリル板の取付箇所を拡大して示す図である。
【図１３】本発明に係る展示台の第３の実施例を示す第１の図である。
【図１４】図１３に示す展示台におけるカバー部の組み立て方を示す第１の図である。
【図１５】図１３に示す展示台におけるカバー部の組み立て方を示す第２の図である。
【図１６】図１３に示す展示台におけるカバー部の天板部材の構造を示す図である。
【図１７】図１３に示す展示台におけるカバー部の収納方法を示す第１の図である。
【図１８】図１３に示す展示台におけるカバー部の収納方法を示す第２の図である。
【図１９】図１３に示す展示台におけるカバー部の収納方法を示す第３の図である。
【発明を実施するための形態】
【００３５】
以下、本発明の具体的な実施形態について図面に基づいて説明する。本実施例に記載されている構成部品の寸法、材質、形状、その相対配置等は、特に記載がない限りは発明の技術的範囲をそれらのみに限定する趣旨のものではない。
【実施例１】
【００３６】
図１は、本発明に係る展示台１の構成を示す斜視図である。展示台１は、天板部３及び展示板部４により形成される展示部と、支持脚部２から構成される。支持脚部２は、後述する一又は複数の脚部対２０（図６を参照のこと）が積み重ねられて形成され、その上に天板部３が配置される。すなわち、天板部３は、支持脚部２に直接支持される部材である。そして、天板部３の上に展示板部４が固定され、展示板部４の展示面上に所定の展示物が設置されることで、展示台１による展示が行われることになる。この展示板部４は、展示物やその展示内容に応じて効果的な展示を実現するために、展示板部４の表面材（クロス）を貼り替え可能とされる。なお、本明細書においては、「上下」の方向は、鉛直方向に沿う方向であり、そのうち重力方向を下方向、反重力方向を上方向とする。
【００３７】
以降、展示台１を形成する各部材の詳細について説明する。先ず、図２に基づいて天板部３の構成について説明する。図２の上段（ａ）には、天板部３を下方から見た状態、すなわち支持脚部２による支持を受ける側から見た状態を示しており、また下段（ｂ）には、天板部３を側方から見た状態を示している。天板部３は、正方形板状の木製の天板３ｄ（例えば、９００ｍｍ×９００ｍｍ）を有している。そして、天板３ｄの下面上には、直方体状の木製の第１部材３ａと第２部材３ｂが４組配置されている。図２（ａ）に示すように、第１部材３ａは、その長さ方向において第２部材３ｂよりも所定長さ短く形成されている。そして、当該所定長さは、第２部材３ｂの厚さ分に相当する。
【００３８】
そして、図２（ａ）に示すように、第１部材３ａと第２部材３ｂとの一組において両部材の端部の位置を揃えて且つ両部材を平行に対向させて両部材の間に溝部３ｅを形成する。この状態では、第１部材３ａと第２部材３ｂの他の端部においては、上記所定長さを反映して両端部の位置にずれが生じている。そして、第１の組の第１部材３ａと第２部材３ｂに対して、第２の組の第１部材３ａと第２部材３ｂを９０度回転させた状態で接触させる。このとき、第１の組の第１部材３ａの端面に、第２の組の第２部材３ｂの側面が接触するように両組が位置決めされる。更に、同じように、第２の組に対して第３の組を９０度回転させた状態で接触させ、第３の組に対して第４の組を９０度回転させた状態で接触させて、全４組の第１部材３ａと第２部材３ｂを天板３ｄの下面に配置する。この結果、図２（ａ）に示すように、第１部材３ａと第２部材３ｂの各組において形成される、４つの溝部３ｅは、天板３ｄの対角線上に位置し、且つ４つの溝部３ｅの合流部３ｆは、天板３ｄの中心に位置するように十字状の溝部が、天板３ｄの下面に形成されることになる。
【００３９】
また、第１部材３ａと第２部材３ｂのそれぞれには、合流部３ｆに近い端部とは反対側の端部、すなわち、図２（ａ）に示す状態において、合流部３ｆに対して遠位側に位置する端部の近くに貫通孔３ｃが設けられている。貫通孔３ｃは、溝部３ｅを挟んで第１部材３ａから第２部材３ｂに至る貫通孔である。この貫通孔３ｃは、後述するように支持脚部２と天板部３を固定するために用いられる。更に、天板３ｄには、その下面と上面とを貫通する貫通孔３ｇが、第１部材３ａと第２部材３ｂの組同士の間の４つの位置にそれぞれ設けられている。この貫通孔３ｇは、後述するように天板部３と展示板部４を固定するために用いられる。
【００４０】
次に、図３に基づいて展示板部４の構成について説明する。図３の上段（ａ）には、展示板部４を下方から見た状態を示しており、中段（ｂ）には、展示板部４を側方から見た状態を示しており、下段（ｃ）には展示板部４を上方から見た状態を示している。展示板部４は、正方形板状の木製の展示板４ａを有している（例えば、８４０ｍｍ×８４０ｍｍ）。そして、図３（ａ）に示すように、展示板４ａの周囲の４辺に沿うように所定の高さを有する側面部材４ｃが展示板４ａの下面に４つ設けられている。そして、互いに対向する側面部材４ｃの中央部分を結ぶように、２本の支持部材４ｂが展示板４ａの下面に十字状に設けられている。この支持部材４ｂの高さは、側面部材４ｃと同じ所定の高さとなっている。更に、支持部材４ｂ上には、上述した天板部３に設けられた貫通孔３ｇに対応する位置に、固定用孔４ｄが４箇所設けられている。
【００４１】
また、展示板４ａの上側の面は、展示物を置くための展示面を形成する。そこで、図３（ｃ）に示すように、展示板４ａの上には、展示物の展示内容を考慮して決められた装飾のためのクロス４ｅが貼り付けられている。
【００４２】
次に、図４〜図６に基づいて支持脚部２の構成について説明する。図４は、支持脚部２を形成する脚部対２０に含まれる第１脚部５の構成を示す図である。図４の上段（ａ）は、第１脚部５を上方から見た状態を示し、中段（ｂ）は第１脚部５を正面から見た状態を示し、下段（ｃ）は第１脚部５のＡ−Ａ断面を示している。また、図５は、当該脚部対２０に含まれる第２脚部６の構成を示す図である。図５の上段（ａ）は、第２脚部６を上方から見た状態を示し、中段（ｂ）は第２脚部６を正面から見た状態を示し、下段（ｃ）は第２脚部６のＢ−Ｂ断面を示している。また、図６は、当該脚部対２０の構成を示す図であり、その上段（ａ）は、脚部対２０の斜視図であり、下段（ｂ）は、脚部対２０における第１脚部５と第２脚部６の結合部を上方から見た図である。なお、第１脚部５、第２脚部６、及び各脚部を構成する後述の各板材においては、その高さ方向は、支持脚部２を形成したときの上下方向に沿う方向として定義され、その長さ方向は高さ方向に垂直な方向であって支持脚部２が地面等に配置されたときに地面等に平行となる方向として定義される。したがって、例えば、図４（ｂ）、図５（ｂ）において、図中の上下方向が高さ方向となり、図中の左右方向が長さ方向となる。
【００４３】
第１脚部５は、５枚の板状の部材（板材）によって形成されている。具体的には、図４に示すように第１脚部５は、１枚の主板材５０と、２枚の第１副板材５１と、２枚の第２副板材５２を有する。主板材５０、第１副板材５１、第２副板材５２は、それぞれ同じ高さ及び厚さを有する長方形板状の部材である。そして、第２副板材５２は、第１副板材５１よりも長い。例えば、各板材の高さは１５０ｍｍであり、各板材の厚さは１５ｍｍである。そして、主板材５０の長さは９００ｍｍであり、第１副板材５１の長さは４２７．５ｍｍであり、第２副板材５２の長さは４４２．５ｍｍである。
【００４４】
ここで、図４（ｂ）に示すように、主板材５０には、その左端部から第２副板材５２の長さに相当する位置に、主板材５０の上方端縁からその高さ下方向に延在する切り欠き部５３が設けられている。なお、切り欠き部５３は、幅１５ｍｍ、深さ９０ｍｍとして形成される。更に、主板材５０には、その左端部及び右端部から所定の距離の位置に、主板材５０の厚さ方向に貫通する貫通孔５０ａが形成されている。また、第１副板材５１には、その右端部から同じ所定の距離の位置に、第１副板材５１の厚さ方向に貫通する貫通孔５１ａが形成されており、第２副板材５２には、その左端部から同じ所定の距離の位置に、第２副板材５２の厚さ方向に貫通する貫通孔５２ａが形成されている。貫通孔５０ａ、５１ａ、５２ａの直径は全て同じである。
【００４５】
このような各副板材５１、５２が主板材５０に貼り付けられることで第１脚部５が形成される。具体的には、図４（ａ）に示すように、主板材５０の各面に対して１枚の第１副
板材５１と１枚の第２副板材５２が配置される。なお、本願明細書において、主板材５０に対する各副板材５１、５２の配置状態を、所定配置状態と称する。したがって、主板材５０の各面において、第１副板材５１、第２副板材５２が所定の配置状態で貼り合わされることで、第１脚部５が形成されることになる。
【００４６】
この所定配置状態では、図４に示すように、主板材５０の左端部と第２副板材５２の左端部が面一の状態とされ、且つ、主板材５０の右端部と第１副板材５１の右端部が面一の状態とされる。その上で、第１副板材５１及び第２副板材５２は、主板材５０に対してその高さ下方向に所定量（例えば、３０ｍｍ）ずらした位置に配置される。この所定配置状態にあるとき、主板材５０に設けられた貫通孔５０ａは各副板材に覆われた状態とはならず、また、各副板材５１、５２に設けられた貫通孔５１ａ、５２ａは、主板材５０に遮られることなく互いに対向した状態となる（図４（ｃ）を参照）。
【００４７】
また、上記の通り、第２副板材５２の長さは主板材５０の左端部から切り欠き部５３の位置までの距離と同じであるから、所定配置状態では、図４（ｂ）に示すように、切り欠き部５３は第２副板材５２によって覆われることはない。そして、第１脚部５の長さ方向において、第１副板材５１の左端部と第２副板材５２の右端部との間には、主板材５０の表面が露出する空間５４が形成され、当該空間５４の幅（長さ方向の端部間距離）は、後述する第２脚部６の主板材６０と第２副板材６２の厚さの合計（すなわち、３０ｍｍ）となる。また、この露出空間５４により、切り欠き部５３は、第１副板材５１及び第２副板材５２によって覆われずに露出した状態となる。
【００４８】
このような所定配置状態が主板材５０の両面に形成されることで、図４（ａ）に示すように、主板材５０を挟んで、一方の面における第１副板材５１の反対側には他方の面における第２副板材５２が位置し、一方の面における第２副板材５２の反対側には他方の面における第１副板材５１が位置することになる。また、図４（ｃ）に示すように、中央に挟まれた主板材５０が各副板材に対して上方にずれていることで、その飛び出した主板材５０の一部により、第１脚部５の上方端縁にその長さ方向に延在する凸部が形成されることになる。一方で、各副板材５１、５２が主板材５０に対して下方にずれることで、その飛び出した各副板材５１、５２の一部により、第１脚部５の下方端縁にその長さ方向に延在する溝部が形成されることになる。
【００４９】
次に、第２脚部６について説明する。第２脚部６も、５枚の板状の部材（板材）によって形成されている。具体的には、図５に示すように第２脚部６は、１枚の主板材６０と、２枚の第１副板材６１と、２枚の第２副板材を有する。主板材６０、第１副板材６１、第２副板材６２は、それぞれ同じ高さ及び厚さを有する長方形板状の部材である。そして、第１副板材６１及び第２副板材６２は、第１脚部５に関する第１副板材５１、第２副板材５２と、寸法、形状は同一である。
【００５０】
ここで、図５（ｂ）に示すように、主板材６０には、その左端部から第２副板材６２の長さに相当する位置に、主板材６０の下方端縁からその高さ上方向に延在する切り欠き部６３が設けられている。なお、切り欠き部６３は、幅１５ｍｍ、深さ９０ｍｍとして形成される。更に、主板材６０には、その左端部及び右端部から、第１脚部５の場合と同じ所定の距離の位置に、主板材６０の厚さ方向に貫通する貫通孔６０ａが形成されている。また、第１副板材６１には、その右端部から同じ所定の距離の位置に、第１副板材６１の厚さ方向に貫通する貫通孔６１ａが形成されており、第２副板材６２には、その左端部から同じ所定の距離の位置に、第２副板材６２の厚さ方向に貫通する貫通孔６２ａが形成されている。貫通孔６０ａ、６１ａ、６２ａの直径は全て同じである。
【００５１】
このような主板材６０に対して、主板材６０の各面において、副板材６１、６２が第１
脚部５の場合と同じ所定配置状態を形成するように貼り付けられる。その結果、第２脚部６においても、主板材６０に設けられた貫通孔６０ａは各副板材に覆われた状態とはならず、また、各副板材６１、６２に設けられた貫通孔６１ａ、６２ａは、主板材６０に遮られることなく互いに対向した状態となる（図５（ｃ）を参照）。また、図５（ｂ）に示すように、主板材６０の各面において第１副板材６１の左端部と第２副板材６２の右端部との間には、第１脚部５の主板材５０と第２副板材５２の厚さの合計（上記例に従えば、３０ｍｍ）の間隔を有する空間６４が形成され、以て、切り欠き部６３は第１副板材６１及び第２副板材６２によって覆われずに露出した状態となる。
【００５２】
更に、図５（ａ）に示すように、主板材６０を挟んで、一方の面における第１副板材６１の反対側には他方の面における第２副板材６２が位置し、一方の面における第２副板材６２の反対側には他方の面における第１副板材６１が位置することになる。また、図５（ｃ）に示すように、中央に挟まれた主板材６０が各副板材に対して上方にずれていることで、その飛び出した主板材６０の一部により、第２脚部６の上方端縁にその長さ方向に延在する凸部が形成されることになる。一方で、各副板材６１、６２が主板材６０に対して下方にずれることで、その飛び出した各副板材６１、６２の一部により、第２脚部６の下方端縁にその長さ方向に延在する溝部が形成されることになる。
【００５３】
このように構成される第１脚部５と第２脚部６を、それぞれの切り欠き部５３、６３を介して結合し、脚部対２０が形成された状態が、図６（ａ）に示されている。この脚部対２０においては、第１脚部５の最下面（すなわち、各副板材５１、５２の下端面）と、第２脚部６の最下面（すなわち、各副板材６１、６２の下端面）が同じ高さとなり、且つ、第１脚部５の最上面（すなわち、主板材５０の上端面）と、第２脚部６の最上面（すなわち、主板材６０の上端面）が同じ高さとなる。
【００５４】
ここで、図６（ｂ）に基づいて、第１脚部５と第２脚部６の結合状態について説明する。第１脚部５及び第２脚部６においては、各脚部の各面において対応する各副板材が所定配置状態に配置されている。そのため、第１脚部５と第２脚部６の結合においては、一方の脚部に対して他方の脚部が段差状の接触面を介して結合した状態となっている。具体的には、第１脚部５の第２脚部６に対する結合においては、主板材５０と第２副板材５２がその厚さ方向で、第１副板材６１と第２副板材６２との間の空間６４に挟まった状態であって、且つ第１副板材５１の長さ方向の端面が第２副板材６２の面に接触した状態となる。すなわち、主板材５０と第２副板材５２の第２脚部６側への接触面と、第１副板材５１の第２脚部６側への接触面がずれた段差状の結合状態が形成されている。同じように、第２脚部６の第１脚部５に対する結合においては、主板材６０と第２副板材６２がその厚さ方向で、第１副板材５１と第２副板材５２との間の空間５４に挟まった状態であって、且つ第１副板材６１の長さ方向の端面が第２副板材５２の面に接触した状態となる。すなわち、主板材６０と第２副板材６２の第１脚部５側への接触面と、第１副板材６１の第１脚部５側への接触面がずれた段差状の結合状態が形成されている。
【００５５】
このように各脚部が相互に段差状の接触面を介して結合されていることで、第１脚部５に対する第２脚部６の回転に対する規制面が増えることになり、また、第２脚部６に対する第１脚部５の回転に対する規制面が増えることになるため、脚部対２０における第１脚部５及び第２脚部６の回転がたつきを抑制することが可能となる。したがって、脚部対２０により極めて安定した展示物の支持が可能となる。
【００５６】
ここで、脚部対２０においては、図６（ａ）に示すように、その上方端縁には、第１脚部５側の凸部と第２脚部６側の凸部により、十字形状の凸部が形成されることになる。同様に、脚部対２０の下方端縁には、第１脚部５側の溝部と第２脚部６側の溝部により、十字形状の溝部が形成されることになる。この脚部対２０における十字状の凸部により、脚
部対２０による支持面が形成される。そして、本実施例では、一の脚部対２０における当該十字状の凸部による支持面は、別の脚部対２０を支持するとともに、天板部３を支持することで、展示台１が組み立てられることになる。
【００５７】
そこで、図７に基づいて、展示台１の組立手順を説明する。図７（ａ）に示す脚部対２０に対して、その上に更に脚部対２０が積み重ねられる。具体的には、下方の脚部対２０の上方端縁の十字状の凸部が、上方の脚部対２０の下方端縁の十字状の溝部に嵌まり込む。このとき、下方の脚部対２０の主板材５０、６０に設けられた貫通孔５０ａ、６０ａが、上方の脚部対２０の第１副板材５１、６１に設けられた貫通孔５１ａ、６１ａ、及び、上方の脚部対２０の第２副板材５２、６２に設けられた貫通孔５２ａ、６２ａと一直線上に並んだ状態となる。そこで、図７（ｂ）に示すように、この並んだ貫通孔を利用してボルトとナットにより、上下の脚部対同士を固定することができる。そして、図７（ｃ）には、脚部対２０を４段積み重ねて形成された支持脚部２を示しており、隣接する脚部対２０同士は、上記の固定手法により固定されている。
【００５８】
支持脚部２が形成されると、その支持脚部２の最上方に位置する脚部対２０の十字状の凸部が、天板部３の展示板３ｄの下面に形成された十字状の溝部に嵌まり込むことで、脚部対２０の上記支持面による天板部３の支持が行われることになる（図７（ｄ）を参照）。なお、脚部対２０に天板部３が嵌め込まれると、第１部材３ａと第２部材３ｂに設けられた貫通孔３ｃと、脚部対２０側の主板材５０、６０に設けられた貫通孔５０ａ、６０ａが一直線上に並ぶため、この並んだ貫通孔を利用してボルトとナットにより脚部対２０と天板部３とを固定する（図７（ｅ）を参照）。そして、当該天板部３に対しては、天板３ｄに設けられた貫通孔３ｇと展示板部４の支持部材４ｂに設けられた固定用孔４ｄを利用して、展示板部４が固定され（図７（ｄ）を参照）、展示台１の組立てが完了する（図７（ｆ）を参照）。
【００５９】
このように構成される展示台１は、脚部対２０の積み重ね数を調整することで、支持脚部２の高さを展示物の展示内容等に応じて適宜調整することができ、展示台１の汎用性を高めることができる。例えば、図８の（ａ）〜（ｅ）には、脚部対２０の積み上げ数を１〜５個とした場合の展示台１の状態が示されている。また、展示台１を複数隣接して並べることで、展示物の大きさや内容に応じた展示面の面積調整が可能となる。例えば、図８の（ｆ）〜（ｈ）には、展示台１を横に１〜３個並べた状態、及び図８の（ｉ）には、展示台１を縦横２列ずつ並べた状態が示されている。なお、図１からも理解できるように、一の展示台１における展示板部４の展示面面積は、天板部３の天板３ｄの面積よりも小さい。そのため、展示台１を隣接して並べると、隣接した展示面同士の間に隙間が生まれる。そこで、図８の（ｇ）〜（ｉ）のように複数の展示台１を並べる場合には、展示面間の隙間を埋めるための部材７を配置するのが好ましい。
【００６０】
そして、展示台１を形成する天板部３、展示板部４、及び脚部対２０を支持する第１脚部５、第２脚部６は、いずれも板状の部材である。そのため、展示台１を使用しない場合は、これらの板状の部材に至るまで展示台１を分解すれば、その保管に要するスペースを省略でき、保管コストを抑制することが可能となる。そして、必要に応じて適切な展示台１およびその配列を形成することで、やはり展示台１の汎用性が高まることになり、以て展示台１に関する部材の廃棄量を抑制することが可能となる。
【００６１】
＜変形例＞
上記実施例に示す展示台１では、各部材は木材を原材料として製造されるが、木材に代えて強化段ボールを各部材の原材料として採用することもできる。強化段ボールを利用することで、各部材の製造労力を低減することができる。また、特に、脚部対２０を形成する第１脚部５及び第２脚部６は、展示物を支持するために比較的大きな強度が必要とされ
る。そこで、第１脚部５及び第２脚部６に含まれる主板材５０、６０の厚さを、他の副板材５１、５２、６１、６２の厚さよりも厚くしてもよい。また、別法として、主板材５０、６０を複数枚重ねて一枚の主板材としてもよい。
【００６２】
更に、支持脚部２に含まれる最下方の脚部対２０の下に、当該脚部対２０の局所的な高さを調整するためのアジャスタを設置してもよい。これにより、展示台１全体の細かな高さや傾きを調整することが可能となる。
【実施例２】
【００６３】
本発明に係る展示台１の第２の実施例について、図９〜図１２に基づいて説明する。なお、本実施例に係る展示台１は、上記実施例１に係る展示台１と比べて、支持脚部２の構成は同じであり、天板部１１および展示板部１２の構成が異なる。そこで、共通する支持脚部２の構成の詳細な説明は省略する。
【００６４】
本実施例に係る展示台１の天板部１１は、図示はしていないが、支持脚部２の最上方の支持脚対２０に対する結合手段として、図２（ａ）に示す十字型の溝部を正方形板状の天板１１ｂの下面に有している。そして、この天板１１ｂの４辺の周囲を囲むように、所定の高さを有する枠部１１ａが設けられている。そのため、天板部１１は、図９に示すように天板１１ｂの内部盆地状に窪んだ形状を有する。そして、この天板１１ｂの内部に展示板部１２が嵌め込まれる。なお、天板部１１と展示板部１２との間にはある程度の隙間が存在している。また、天板部１１と展示板部１２との固定手段については、上記の天板部３と展示板４との固定手段と同様であるため、その説明は省略する。
【００６５】
そして、図１０に示すように、天板部１１に展示板１２が取り付けられた状態において、更にカバー部１５が展示板部１２上に設置される。このカバー部１５は、透明なアクリル板で形成され、外部からの接触から展示板１２上の展示物を保護しながらその展示を可能とするものである。図１１及び図１２に、カバー部１５の取付状態を示す。カバー部１５は、直角に曲がった２面を有する４本の支柱１３と、カバー方向の４面に対応する４枚の透明なアクリル板１４から形成される。なお、図１２は、支柱１３とアクリル板１４との結合部位を上方から見た状態を示している。
【００６６】
このように支柱１３の二面のそれぞれをアクリル板１４に接触させ、両者を貫通する貫通孔を利用してねじ止めする。これを、カバー部１５の４隅で行うことで、カバー部１５は、図１０に示すような自立可能な状態となる。そして、天板部１１と展示板部１２との間の隙間に、カバー部１５を形成する各アクリル板１４を差し込むことで、図１０に示す展示台１が完成される。
【実施例３】
【００６７】
本発明に係る展示台１の第３の実施例について、図１３〜図１９に基づいて説明する。なお、本実施例に係る展示台１は、上記実施例１に係る展示台１に対して組み立て式のカバー部３０を付加するものであり、天板部３、展示板部４および支持脚部２に係る構成は上記実施例１に係る展示台１と基本的に同じである。そのため、これらの構成についての詳細な説明は省略する。
【００６８】
図１３は本発明に係る展示台１の第３の実施例の全体像を表している。該図に示すように、本実施例に係る展示台１は、展示板部４の周囲及び上部がカバー部３０によって覆われており、当該カバー部３０は透明なアクリル板であるカバー側面部材３１を４つ、透明なアクリル角柱であるカバー支柱部材を４つ、透明なアクリル板であるカバー天板部材１つを組み合わせることによって形成されている。なお、カバー天板部材３３は透明なポリカーボネート製の皿ネジ３４でカバー支柱部材３２にネジ止めされる。このようにカバー
を構成する全ての部材を透明体とすることで、展示物に対する視認性の低下を抑えることができる。そして、カバー部３０は側面部材３１に設けられた貫通孔（図示せず）を通じて展示板部４にネジ止めされる。
【００６９】
これによって、展示物を埃や水滴、観覧者による接触等から保護することが可能となる。カバー部３０を構成する各部材は、以下で述べるような構成によってお互いに結合されており、側面部材３１を展示板部４に固定することで、十分な強度を持ったカバー部３０を構成することが可能になる。
【００７０】
続けて、カバー部３０を構成する各部材の詳細な形状、およびこれらの組み立て方法について説明する。側面部材３１は、展示板部４及び展示物（図示せず）のサイズに合わせた寸法（例えば、幅８４８ｍｍ×高さ４４６ｍｍ）に形成されたアクリル板である。
【００７１】
そして、図１４は、一の側面部材３１と他の側面部材の端部同士が結合された状態を示しており、側面部材３１は２つとも同じ形状であることを踏まえると、図１４からも、ひとつの側面部材３１の一方の端部に３１ａ、３１ｃが設けられ、他方の端部に３１ｂ、３１ｄが設けられていることが理解できる。該筒状体は、例えば小さなアクリル板を接着剤で接合して形成した角パイプを側面部材の基礎となるアクリル板に接着して設けても良いし、筒状体を含む側面部材全体として一体的に形成しても良い。
【００７２】
ここで、側面部材３１の一方の端の筒状体３１ａ、３１ｃと、他方の端の筒状体３１ｂ、３１ｄは、お互いに高さ方向において重なる部分が無いように、かつ組み合わせた際に隙間が生じないように配置されている。
【００７３】
また、最下部に位置する筒状体３１ｄは、その下端が、側面部材３１の下端から展示板部４の高さ（例えば３０ｍｍ）と略同じ高さの位置になるように設けられる。さらに、最上部に位置する筒状体３１ａは、その上端が、側面部材３１の上端から、後述する天板部材３３の段部３３ａ厚さ（例えば４ｍｍ）と略同じ距離だけ低い位置になるように設けられる。
【００７４】
このような形状の側面部材３１は、図１５に示すように、隣接する他の側面部材３１と、互いの筒状体３１ａ、３１ｃと筒状体３１ｂ、３１ｄとが、展示板部４の四隅において角を揃えて同一の軸上に配置されるように、組み合わされる。筒状体３１ａ〜３１ｄは同じ形状であるため、これらの中空部も同一の軸上に配置されることになり、該同一の軸上に配置された筒状体３１ａ〜３１ｄの中空部に、支柱部材３２を挿通することにより、側面部材３１同士が結合される。
【００７５】
ここで、支柱部材３２は正四角柱であり、筒状体３１ａの上端から筒状体３１ｄの下端までの高さ（例えば４１２ｍｍ）と略同じ高さを有している。また、支柱部材３２の上端面には天板部材３３をネジ止めするためのネジ穴が形成されている。
【００７６】
そして、図１６に示すように、上記の通り結合された側面部材３１と支柱部材３２に天板部材３３が載置され、天板固定皿ネジ３４によって、ネジ頭が天板部材３３の上面と面一になるように支柱部材３２にネジ止めされる。
【００７７】
ここで、上記の天板部材３３は各辺の長さが展示板部４の各辺の長さ（例えば８５４ｍｍ）に側面部材３１の厚み（例えば６ｍｍ）分を加えた長さであり、天板部材３３の厚みは、相当の部材強度を維持しつつ、取扱いに不便の生じない厚さ（例えば、８ｍｍ）である。さらに、天板部材３４は内側の面の四辺全てに沿って、図１６中の拡大部分において示すような段部３３ａが設けられており、該段部３３ａの幅は、側面部材３１の厚みと略
同一（例えば６ｍｍ）で、厚みは、側面部材３１を内側から支え得る程度の高さ（例えば４ｍｍ）に設けられる。
【００７８】
天板部材のこのような構造によって、天板部材３３の重量を側面部材３１の全ての上端面で均一に支えることができ、側面部材３１を天板部材３３の段部段部３３ａが内側から支え得るため、側面部材３１に外側からの力が加わっても、側面部材３１が内側に撓むことを抑止することができる。
【００７９】
さらに、上記のように筒状体３１ａ〜３１ｄが高さ方向に隙間が生じないように配置されていることにより、筒状体部分においても天板部材３３を支持することが可能となる。
【００８０】
以上のようにして組み上がったカバー部３０は、側面部材３１の下部に設けられた貫通孔３１ｅを通じて、展示板部４にネジ止め固定され、図１３に示す展示台１が完成する。
【００８１】
次に、カバー部３０を構成する各部材の収納方法について説明する。まず、図１７に示すように、２つの側面部材３１を内側が向かい合うように重ね合わせる。すると、図１８に示すように、一方の側面部材の３１ａ、３１ｃと、他方の側面部材の３１ｂ、３１ｄとが、両端のそれぞれで一列に並べられるため、ここに皿ネジ３４を浅くねじ込んだ状態の支柱部材３２を挿通する。このようにすることで、側面部材３１、支柱部材３２、天板固定皿ネジ３４が、それぞれ２つずつまとまった状態のカバー収納時ユニット３６が1つ出
来上がる。
【００８２】
そして、図１９において示すように、天板部材３３の上にカバー収納時ユニット３６を２つ並べて重ね置くことで、一組みの展示物カバー部３０を、ほとんど無駄なスペースを使うことなく、コンパクトに保管、移送することができる。また、このようにひとまとまりに管理することで、部品を紛失するリスクも極めて小さくすることが可能となる。
【００８３】
＜変形例＞
上記実施例３に示す展示台１では、側面部材３１の各端部に、軸方向に垂直な断面が正方形となる筒状体が２つずつ設けられていたが、側面部材３１に設けられる筒状体の数は、各端部に１つ以上であれば、いくつであってもよい。例えば、側面部材３１の高さに応じて各端部に１つずつ、或いは４つずつとすることも可能であるし、一方の端部に１つの筒状体を設け、他方の端部に２つの筒状体を設けるような構成としてもよい。更に、筒状体の形状についても、中空部の軸を合わせ得る限りにおいて、自由に形成できる。例えば円筒形状としてもよいし、三角形の断面形状を有するものとしてもよい。なお、筒状体の中空部の形状についても同様であり、これに合わせて、該筒状体の中空部に挿通される支柱部材３２の形状についても、例えば、円柱としても良いし、三角柱としてもよい。
【００８４】
また、上記実施例３では、同じ形状の側面部材３１を４つ用いて、展示物の全周囲を囲うカバー部３０を形成しているが、側面部材の形状はそれぞれ異なったものを用いてもよい。異なる形状の側面部材を用いることで、カバー部３０の形状を、例えば平面視で長方形となるようにすることも、鈍角を有する三角形とすることもできる。更に、カバー部３０は、展示物の全周囲を側面部材３１で囲う形状に組み立てられなくともよい。例えば、展示施設の壁面や、背景となる図柄が表された他の部材等を利用して、側面部材３１が平面視で「コの字型」や、「くの字型」になるように組み立てることも可能である。
【００８５】
以上のように、各部材の形状と配置を様々に工夫することで、コンパクトに収納できるうえ、様々な展示内容に応じたカバー部を有する展示台を提供することが可能となる。
【符号の説明】
【００８６】
１・・・・展示台
２・・・・支持脚部
３、１１・・・・天板部
３ａ・・・・第１部材
３ｂ・・・・第２部材
３ｄ・・・・天板
３ｅ・・・・溝部
４、１２・・・・展示板部
５・・・・第１脚部
６・・・・第２脚部
１３・・・・支柱
１４・・・・アクリル板
１５、３０・・・・カバー部
２０・・・・脚部対
３１・・・・カバー側面部材
３２・・・・カバー支柱部材
３３・・・・カバー天板部材
３４・・・・カバー天板固定皿ネジ
３５・・・・カバー側面固定ネジ
３６・・・・カバー収納時ユニット
５０、６０・・・・主板材
５１、６１・・・・第１副板材
５２、６２・・・・第２副板材
５３、６３・・・・切り欠き部
【図１】
0006583878.tif 000002
【図２】
0006583878.tif 000003
【図３】
0006583878.tif 000004
【図４】
0006583878.tif 000005
【図５】
0006583878.tif 000006
【図６】
0006583878.tif 000007
【図７】
0006583878.tif 000008
【図８】
0006583878.tif 000009
【図９】
0006583878.tif 000010
【図１０】
0006583878.tif 000011
【図１１】
0006583878.tif 000012
【図１２】
0006583878.tif 000013
【図１３】
0006583878.tif 000014
【図１４】
0006583878.tif 000015
【図１５】
0006583878.tif 000016
【図１６】
0006583878.tif 000017
【図１７】
0006583878.tif 000018
【図１８】
0006583878.tif 000019
【図１９】
0006583878.tif 000020